(57)【要約】【課題】漆がもたらす装飾上の効果を活かしてより良好な美観を呈する乗物用の加飾用部品を実現する。【解決手段】車両用の加飾用部品１が、基材２上に形成される加飾部３が、下地層４と、下地層４の上方で像を形成している像形成層５と、下地層４と像形成層５との間に設けられた中間層６と、加飾部３において最も外側に位置する最外層７とを備えている。中間層６は、漆を含有した塗料によって構成されており、中間層６の外縁が像形成層５の外縁に揃うように形成されている。最外層７は、漆よりも屈折率が低いクリア塗料によって構成されており、基材２のうち、加飾部３が形成された領域を覆っている。【選択図】図２
2018016293.tif 000002
【特許請求の範囲】
【請求項１】
基材と、該基材の上に形成された加飾部とを有し、
前記加飾部は、下地層と、該下地層の上方で像を形成している像形成層と、前記下地層と前記像形成層との間に設けられた中間層と、前記加飾部において最も外側に位置する最外層とを備え、
前記中間層は、漆を含有した塗料によって構成されており、前記中間層の外縁が前記像形成層の外縁に揃うように形成されており、
前記最外層は、漆よりも屈折率が低いクリア塗料によって構成されており、前記基材のうち、前記加飾部が形成された領域を覆っていることを特徴とする乗物用の加飾用部品。
【請求項２】
前記像形成層は、有色の着色材料を含有した塗料によって構成され、前記着色材料の色の像を形成していることを特徴とする請求項１に記載の乗物用の加飾用部品。
【請求項３】
前記下地層は、白色顔料を含有した塗料によって構成されており、
前記下地層の表面色が白色となっていることを特徴とする請求項２に記載の乗物用の加飾用部品。
【請求項４】
前記下地層は、有色の着色材料を含有した塗料によって構成され、
前記下地層の表面色が、前記着色材料の色となっており、
前記像形成層は、白色顔料を含有した塗料によって構成されていることを特徴とする請求項１に記載の乗物用の加飾用部品。
【請求項５】
前記最外層は、ウレタン樹脂を含有する前記クリア塗料によって構成されていることを特徴とする請求項１乃至４のいずれか一項に記載の乗物用の加飾用部品。
【請求項６】
前記加飾部は、前記基材の直上位置に形成された前記下地層と、前記下地層の直上位置に形成された下方クリア層と、該下方クリア層の直上位置に形成された前記中間層と、前記中間層の直上位置に形成された前記像形成層と、前記最外層とを備えることを特徴とする請求項１乃至５のいずれか一項に記載の乗物用の加飾用部品。
【発明の詳細な説明】
【技術分野】
【０００１】
本発明は、乗物用の加飾用部品に係り、特に、基材上に形成された加飾部中に漆を含有する塗料の層が含まれた加飾用部品に関する。
【背景技術】
【０００２】
乗物用の加飾用部品として、基材上に複数の塗料層を積層することで加飾部が構成されているものが挙げられる。このような積層型の加飾用部品の中には、漆を含有する塗料の層を有するものが存在する（例えば、特許文献１参照）。特許文献１に記載の加飾用部品では、仕上げ層（すなわち、最外層）として、漆含有塗料の層が形成されている。このように漆含有塗料の層を仕上げ層として利用することにより、より下層に位置する絵柄層について、深み感を実現することが可能となる。
【先行技術文献】
【特許文献】
【０００３】
【特許文献１】特開２００９−２４０９９１号公報
【発明の概要】
【発明が解決しようとする課題】
【０００４】
一方、漆含有塗料の層を備えた加飾用部品に関して言うと、上述した漆がもたらす装飾上の効果をより有効に発揮させて、より良好な美観を実現することが求められている。そこで、本発明は、上記の問題に鑑みてなされたものであり、その目的は、漆がもたらす装飾上の効果を活かしてより良好な美観を実現した乗物用の加飾用部品を提供することにある。
【課題を解決するための手段】
【０００５】
前記課題は、本発明の乗物用の加飾用部品によれば、基材と、該基材の上に形成された加飾部とを有し、車両の室内に設置される加飾用部品であって、前記加飾部は、下地層と、該下地層の上方で像を形成している像形成層と、前記下地層と前記像形成層との間に設けられた中間層と、前記加飾部において最も外側に位置する最外層とを備え、前記中間層は、漆を含有した塗料によって構成されており、前記中間層の外縁が前記像形成層の外縁に揃うように形成されており、前記最外層は、漆よりも屈折率が低いクリア塗料によって構成されており、前記基材のうち、前記加飾部が形成された領域を覆っていることで解決される。
【０００６】
上記のように構成された本発明の乗物用の加飾用部品では、漆含有塗料によって構成された中間層が像形成層の下に設けられ、中間層の外縁が像形成層の外縁に揃っている。このような構成であれば、漆の特性によって、像形成層と下地層との境界を浮かび上がらせる視覚的効果が得られるようになる。これにより、像形成層の外縁（すなわち、像の輪郭）がより鮮明に現れるようになる。また、像形成層と下地層との境界を浮かび上がらせる効果については、漆よりも屈折率が低いクリア塗料によって構成された最外層によって加飾部が覆われることによって際立つようになる。以上の結果、本発明の乗物用の加飾用部品は、漆がもたらす装飾上の効果を活かしてより良好な美観を呈するようになる。
【０００７】
また、上記の構成において、前記像形成層は、有色の着色材料を含有した塗料によって構成され、前記金属粉の色の像を形成しているとよい。
上記の構成では、加飾部の像として有色の像（厳密には、着色材料の色の像）を形成した場合に、漆がもたらす装飾上の効果を活かしてより良好な美観を実現することが可能となる。
【０００８】
また、上記の構成において、前記下地層は、白色顔料を含有した塗料によって構成されており、前記下地層の表面色が白色となっているとよい。
上記の構成では、下地層の表面色（すなわち、白色）を良好に表すことが可能となる。この結果、例えば白を基調とする加飾部について、より良好な美観を達成することが可能となる。
【０００９】
また、上記の構成において、前記下地層は、有色の着色材料を含有した塗料によって構成され、前記下地層の表面色が、前記着色材料の色となっており、前記像形成層は、白色顔料を含有した塗料によって構成されてもよい。
上記の構成では、表面色が着色材料の色となった下地層の上に白色の像形成層を配置し、像形成層と下地層との間に漆含有塗料の層を配置する。これにより、漆の特性によって下地層と像形成層との境界、すなわち像の輪郭をより鮮明に表すことが可能となる。
【００１０】
また、上記の構成において、前記最外層は、ウレタン樹脂を含有する前記クリア塗料によって構成されているとよい。
上記の構成では、漆がもたらす装飾上の効果をより有効に活かすための最外層を、ウレタン樹脂を含有するクリア塗料によって実現することが可能となる。
【００１１】
また、上記の構成において、前記加飾部は、前記基材の直上位置に形成された前記下地層と、前記下地層の直上位置に形成された下方クリア層と、該下方クリア層の直上位置に形成された前記中間層と、前記中間層の直上位置に形成された前記像形成層と、前記最外層とを備えるとよい。
上記の構成では、漆含有塗料によって構成された中間層の上方及び下方にクリア塗料の層（具体的には、最外層と下方クリア層）が配置されている。このため、漆がもたらす視覚的効果を更に際立たせることが可能となり、この結果、より一層良好な美観を呈する加飾用部品が実現される。
【発明の効果】
【００１２】
本発明によれば、漆がもたらす装飾上の効果を活かしてより良好な美観を呈する乗物用の加飾用部品が実現される。
また、本発明によれば、有色の加飾部の像を形成する際に、漆がもたらす装飾上の効果を活かして良好な美観を実現することが可能となる。
また、本発明によれば、下地層の表面色を白色とすることにより、白を基調とする加飾用部品がより良好な美観を呈するようになる。
また、本発明によれば、下地層の色が着色材料の色となる場合において、下地層と像形成層との境界をより鮮明に表すことが可能となる。
また、本発明によれば、漆がもたらす装飾上の効果をより有効に活かすための最外層を、ウレタン樹脂を含有するクリア塗料によって実現することが可能となる。
また、本発明によれば、漆含有塗料によって構成された中間層の上方及び下方にクリア塗料の層を配置することで、漆がもたらす視覚的効果を更に際立たせて、加飾用部品の美観をより一層良好なものとすることが可能となる。
【図面の簡単な説明】
【００１３】
【図１】本発明の一実施形態に係る加飾用部品の表面を示す図である。
【図２】本発明の一実施形態に係る加飾用部品の模式断面図である。
【図３】漆含有塗料の層がもたらす効果についての説明図である。
【図４】変形例に係る加飾用部品の模式断面図である。
【発明を実施するための形態】
【００１４】
以下、本発明の一実施形態（本実施形態）について説明する。なお、以下に説明する実施形態は、本発明の理解を容易にするための一例であり、本発明を限定するものではない。すなわち、本発明は、その趣旨を逸脱することなく、変更、改良され得ると共に、本発明にはその等価物が含まれることは勿論である。また、図１〜図４に図示した構成は、あくまでも加飾用部品の一例を示したものであり、具体的な構成（例えば、加飾部３中の像Ｆの内容、加飾部３中の各層の層厚等）については特に限定されるものではない。
【００１５】
先ず、本実施形態に係る乗物用の加飾用部品（以下、加飾用部品１）の用途や概略構成を説明する。加飾用部品１は、車内装飾用インテリア部品として用いられるパネル状の部品である。一例を挙げて説明すると、加飾用部品１は、車両ドアのライニング部品やインパネ等のオーナメント部品の構成要素として利用される。ただし、これらに限定されるものではなく、加飾用部品１は、車内装飾部品として広く利用可能である。また、加飾用部品１は、車両以外の乗物の装飾部品としても利用可能である。
【００１６】
加飾用部品１の表面（厳密には、車内において露出する側の面）には加飾部３が形成されている。具体的に説明すると、加飾部３には、図１に示すように像Ｆが形成されている。ここで、「像」とは、絵、模様、文字や記号等を意味する。また、本実施形態において、像Ｆは、金属粉を含有した塗料によって形成されるものであり、いわゆる蒔絵となっている。つまり、本実施形態では、着色材料として金属粉が用いられており、当該金属粉の色の像Ｆが形成されることになっている。なお、金属粉としては、金箔片や銀箔片が利用可能である。
【００１７】
次に、加飾用部品１の構成について詳しく説明すると、図２に示すように、加飾用部品１は、基材２と、基材２の上に形成された加飾部３とによって構成されている。基材２は、例えばプラスチック成型品や金属加工品によって構成されており、加飾用部品１の外形形状を規定するものである。
【００１８】
加飾部３は、基材２に対して加飾性を付与する部分であり、本実施形態では図３に示すように、塗料によって構成される層が複数積層した構造となっている。加飾部３の積層構造について図２を参照しながら説明すると、最下層としての下地層４と、下地層４の上方で像Ｆを形成している像形成層５と、下地層４と像形成層５との間に設けられた中間層６と、加飾部３において最も外側に位置する最外層７とを有する。
【００１９】
下地層４は、白色顔料を含有した塗料によって構成された層である。したがって、下地層４の表面色は、白色となっている。また、下地層４は、基材２の表面の直上位置に設けられている。なお、下地層４は、基材２の表面のうち、加飾部３が形成された領域全域に亘って形成されている。
【００２０】
像形成層５は、金属粉を含有した塗料によって構成された層である。つまり、像形成層５が形成されることで、下地層４上に蒔絵の像Ｆ（すなわち、金属粉の色の像Ｆ）が形成されることになる。なお、本実施形態では、金属粉を含有した塗料によって像形成層５が構成されていることとしたが、これに限定されるものではない。像形成層５については、金属粉以外の有色の着色材料（例えば顔料、箔、貝等）を含有する塗料によって構成されてもよい。
【００２１】
中間層６は、漆を含有した塗料（具体的には、やや黄色がかった透明塗料）によって構成された層である。ここで、漆は、天然漆及び合成漆のうち、いずれであってもよい。また、漆を含有した塗料とは、漆単体であってもよく、漆と漆以外の成分が混合したものであってよい。また、中間層６は、像形成層５の直下位置で、かつ下地層４の直上位置に設けられている。さらに、中間層６は、図２に示すように、その外縁が像形成層５の外縁と揃うように形成されている。
【００２２】
最外層７は、トップコート層であり、漆よりも屈折率が低いクリア塗料によって構成されている。ここで、クリア塗料とは、無色透明な硬化性樹脂塗料であり、例えばウレタン樹脂を含有する塗料が利用可能である。そして、トップコート層としての最外層７は、基材２のうち、加飾部３が形成された領域全域を覆うように形成されている。なお、本実施形態では、図２に示すように、加飾部３の各部において厚み（加飾部３の厚み）が均一となるように最外層７が形成されている。
【００２３】
以上のように本実施形態では、漆含有塗料の層である中間層６が像形成層５の直下位置に配置され、かつ、中間層６の外縁が像形成層５の外縁と揃っていることにより、像形成層５について深み感を醸し出すことが可能となる。つまり、屈折率が比較的高い漆を含有した塗料の層である中間層６が像形成層５の直下に設けられることで、観察者（例えば、加飾用部品１が搭載された車両の乗員）は、像形成層５について、その塗膜厚以上の深み感を感じるようになる。なお、中間層６の層厚については、特に限定されないが、漆使用による美観改善効果と漆使用によるコスト上昇とを考慮して適正な厚みとなっていることが望ましい。
【００２４】
また、図３に示すように、本実施形態では、下地層４が白色となっている。このため、中間層６のうち、外縁近傍の部分は、観察者から見て相対的に明るく見える。一方、中間層６の中央部分は、下地層４から離れているため、観察者から見て相対的に暗く見える。このような中間層６における明暗差によって、下地層４と像形成層５との境界（すなわち、像Ｆの輪郭）が、観察者にとって浮かび上がっているように見える。さらに、下地層４と像形成層５との境界を浮かび上がらせる効果については、漆よりも屈折率が低いクリア塗料によって構成された最外層７によって加飾部３全域が覆われることで際立つようになる。以上の結果、本実施形態の加飾用部品１は、漆がもたらす装飾上（意匠上）の効果を活かしてより良好な美観を呈するようになる。
【００２５】
ところで、上述した実施形態（以下、先の実施形態）は、本発明の加飾用部品の一例であり、他の例（変形例）も考えられる。以下、図４を参照しながら、変形例に係る加飾用部品（以下、加飾用部品１ｘ）の構成について説明する。加飾用部品１ｘが有する加飾部３ｘは、図４に示すように、基材２の直上位置に形成された下地層４と、下地層４の直上位置に形成された下方クリア層８と、下方クリア層８の直上位置に形成された中間層６と、中間層６の直上位置に形成された像形成層５と、最外層７とを有する。
【００２６】
変形例に係る下地層４は、有色の着色材料（具体的には金属粉）を含有した塗料によって構成されている。したがって、変形例において下地層４の表面色は、金属粉の色となっている。一方、変形例に係る像形成層５は、白色顔料を含有した塗料によって構成されている。つまり、変形例に係る像形成層５の色は、白色となっている。そして、変形例において、像形成層５は、加飾部３中、先の実施形態において像形成層５が形成されなかった箇所（換言すると、下地層４が見えていた箇所）に形成されている。このように変形例では、下地層４及び像形成層５についての配色と形成箇所が、先の実施形態における内容を反転させたものになっている。この結果、変形例に係る加飾部３ｘにおいても、先の実施形態に係る加飾部３（すなわち、図１に図示の加飾部３）と同様のデザインの像Ｆが現れることになる。
【００２７】
なお、変形例においても、漆含有塗料の層である中間層６が像形成層５の直下位置に配置され、かつ、中間層６の外縁が像形成層５の外縁と揃っている。これにより、変形例においても、先の実施形態と同様、像形成層５について深み感を醸し出すことが可能となる。また、変形例では像形成層５が白色となっているため、中間層６の外縁近傍の部分が観察者から見て相対的に明るく見え、中間層６の中央部分が相対的に暗く見える。このような中間層６における明暗差により、変形例においても、像形成層５のエッジ（すなわち、像Ｆの輪郭）が観察者にとって浮かび上がっているように見える。さらに、変形例においても、クリア塗料によって構成された最外層７によって加飾部３ｘ全域が覆われるため、像形成層５との境界を浮かび上がらせる効果が際立つようになる。
【００２８】
また、変形例では、中間層６と下地層４との間にクリア層としての下方クリア層８が設けられている。この下方クリア層８は、漆よりも屈折率が低いクリア塗料（例えば、ウレタン樹脂を含有するクリア塗料）によって構成されており、下地層４の直上位置において均一な層厚となるように形成されている。以上のように、変形例では、中間層６の上方及び下方にクリア塗料の層（具体的には、最外層７と下方クリア層８）が配置されているため、漆がもたらす視覚的効果を更に際立たせることが可能となる。これにより、加飾用部品１ｘは、漆がもたらす視覚的効果を活かして良好な美観を呈するものとなる。
【符号の説明】
【００２９】
１，１ｘ  加飾用部品
２  基材
３，３ｘ  加飾部
４  下地層
５  像形成層
６  中間層
７  最外層
８  下方クリア層
Ｆ  像
【図１】
2018016293.tif 000003
【図２】
2018016293.tif 000004
【図３】
2018016293.tif 000005
【図４】
2018016293.tif 000006